(57)【要約】【課題】使用時、非使用時に関係なく見映えがよく、操作ケースも邪魔にならずに設置空間を有効に利用できる面状採暖具を提供する。【解決手段】発熱体３を内装した発熱体ユニット５と、発熱体３の温度を制御する制御回路８と、制御回路８を内装する制御ケース９と、発熱体ユニット５と制御ケース９を表面材１で覆う構成とした。【選択図】　図１
2004028392.tif 000002
【特許請求の範囲】
【請求項１】
発熱体を内装した発熱体ユニットと、前記発熱体の温度を制御する制御回路と、前記制御回路を内装する制御ケースと、前記発熱体ユニットと制御ケースとを覆う表面材とからなる面状採暖具。
【請求項２】
軟質樹脂材を平板状に成形して発熱体を埋設固定した発熱体ユニットと、前記発熱体の温度を制御する制御回路と、前記制御回路を内装する制御ケースと、前記発熱体ユニットと制御ケースとを覆う表面材とからなる面状採暖具。
【請求項３】
発熱体ユニットの一部に軟質樹脂材の非形成部を設け、前記非形成部に制御ケースを位置させたことを特徴とする請求項２に記載の面状採暖具。
【請求項４】
表面材を樹脂材料から成るシートで構成し、前記表面材を制御ケースに接着剤若しくは両面テープで固定したことを特徴とする請求項３に記載の面状採暖具。
【請求項５】
赤外線を利用したリモコン送信機を有し、前記リモコン送信機からの信号を受信するための受信部を制御ケースの上面に設け、制御部は前記受信部の受信信号に基づいて発熱体の温度制御を行うことを特徴とする請求項１〜４のいずれか１項に記載の面状採暖具。
【発明の詳細な説明】
【０００１】
【発明の属する技術分野】
本発明は、電気カーペット等の面状採暖具に関するものである。
【０００２】
【従来の技術】
従来のこの種の面状採暖具は、図４あるいは図５に示すような構成になっていた。図４において１は表面材、２は軟質樹脂材、３は発熱体、４は発熱体３を配設した発熱体基材であり、軟質樹脂材２を平板状に成形して発熱体基材４に配設された発熱体３を埋設固定して発熱体ユニット５を構成している。６は裏材であり、表面材１と発熱体ユニット５と裏材６から本体ユニット７を構成している。８は発熱体３の温度を制御する制御回路、１４は制御回路８を内装する制御ケースである。また、図５は、他の従来例であり、図４に示すものと同様の構成を有する本体ユニット７と着脱可能に構成された制御回路８を内装する着脱式制御ケース１５から構成されており、比較的大きな制御ケース１５を着脱自在に構成することにより、夏場など、採暖が必要でない時は制御ケースを外すことで、本体からの出っ張りが無くなり、この電気カーペットを通常のカーペットとして使用することが可能となっている。なお、本体ユニット７は制御回路８を介して発熱体３に通電されることにより発熱体基材４、表面材１を通じて熱を放射するようになっていた。
【０００３】
【発明が解決しようとする課題】
しかしながら、図４に示す前記従来の構成では、発熱体３の温度を制御する制御回路８を内装する制御ケース１４が表面材１と発熱体ユニット５と裏材６からなる本体ユニット７を挟み込むように配設されており、制御ケース１４と本体ユニット７の係合部に段差部１６が生じ、制御ケース１４が本体ユニット７から飛び出しているので、使用者が段差部１６を踏んだときに不快感を感じやすく、掃除を行なうときにも段差部１６が邪魔になるという課題を有していた。さらに、年中敷きっぱなしとする使用形態を前提としたフローリング調の面状採暖具においては、制御ケース１４が製品の見映えを悪くするという課題を有していた。その対策として図５に示すように、使用しない季節において見映えをよくするために制御ケース１５を本体ユニット７から着脱できる仕様のものにおいては制御ケース１５が面状採暖具よりも出っ張るので、使用時により大きな設置空間が必要になるという課題を有していた。さらに、本体ユニット７と制御ケース１５を着脱可能にするため部品点数も多くなるという課題を有していた。
【０００４】
本発明は、前記従来の課題を解決するもので、制御ケース９と本体ユニット７の係合部の段差１６を解消することができ、季節に関係なく見映えがよく、使用時にも操作ケースが邪魔にならず、より大きな設置空間を必要としない面状採暖具を提供することを目的とする。
【０００５】
【課題を解決するための手段】
前記従来の課題を解決するために、本発明の面状採暖具は、発熱体を内装した発熱体ユニットと、発熱体の温度を制御する制御回路と、制御回路を内装する制御ケースと、発熱体ユニットと制御ケースを表面材で覆う構成としたものである。
【０００６】
これによって、制御ケースと本体ユニットの係合部の段差を解消することができ、季節に関係なく見映えがよく、使用時、非使用時にかかわらず操作ケースが邪魔にならないように構成したものである。
【０００７】
【発明の実施の形態】
請求項１に記載の発明は発熱体を内装した発熱体ユニットと、発熱体の温度を制御する制御回路と、制御回路を内装する制御ケースと、発熱体ユニットと制御ケースとを表面材で覆う構成とすることにより、本体ユニットと制御ケースの係合部の段差が解消され、使用者が段差を踏んで感じる不快感を軽減することができ、また掃除を行う場合にも段差がないので効率良く掃除をすることができる。また、制御ケースが本体ユニットから突出していないので、使用時、非使用時に関係なく邪魔にならない。
【０００８】
請求項２に記載の発明は、特に請求項１に記載の発熱体ユニットを軟質樹脂材を平板状に成形して発熱体を埋設固定したもので発熱体ユニットにクッション性と断熱性、耐久性を備えることができるので座りごこちを良くし、発熱体の熱を効率良く表面材側に伝達することができ、長期間、使用しても本体ユニットのへたりが少ない。
【０００９】
請求項３に記載の発明は、請求項２に記載の発熱体ユニットの一部に軟質樹脂材の非形成部を設け、非形成部に制御ケースを位置させたもので制御ケースを配設するための空間を確保するために軟質樹脂材からなる発熱体ユニットを二次加工することなく配設することができる。
【００１０】
請求項４に記載の発明は、請求項３に記載の表面材を樹脂材料から成るシートで構成し、表面材を制御ケースに接着剤若しくは両面テープで固定したものでビスによる固定を行う必要がなく部品点数を削減することができると同時に表面材に穴あけ加工などを行わないので見映えを良くすることができる。また、表面材を薄くできるので制御ケース９を覆っても本体の厚みが厚くならない。
【００１１】
請求項５に記載の発明は、赤外線を利用したリモコン送信機を有し、リモコン送信機からの信号を受信するための受信部を制御ケースの上面に設け、制御部は受信部の受信信号に基づいて発熱体の温度制御を行うように構成されたもので制御ケースの操作部分を少なくすることにより、制御ケースの表面材から露出した部分を少なくすることができる。
【００１２】
【実施例】
以下、本発明の実施例について、図面を参照しながら説明する。
【００１３】
（実施例１）
図１は本発明の第１実施例における面状採暖具の部分断面斜視図を示すものであり、図２は平面図、図３は断面図を示すものである。
【００１４】
図１、図２、図３において、４は発熱体３を配設した発熱体基材で小さな穴があいている。塩ビシート等からなる表面材１の裏面に仮止めされた後、６のポリエチレン等の樹脂シートでできた裏材の上に散布された２の軟質樹脂材の上方に配置され、金型で押圧成形し、軟質樹脂材２を発泡させる。この時、本体ユニット７のコーナー部１３に制御ケース９を取り付けるための空間を確保するために軟質樹脂材２がまわり込まないようにする。発泡時の発泡圧により発熱体基材４から表面材１側に軟質樹脂材２が滲み出して表面材１の裏面にソリッド状に付着し、発熱体ユニット５と表面材１と裏材６が一体的に接着される。表面材１の裏面側の軟質樹脂材２がまわりこまない本体コーナー部１３に両面テープ等で制御ケース９を貼り付ける。制御ケース９の上面にはリモコン送信機１２からの信号を受信するための信号受信部１０と主電源スイッチを備えた本体操作部１１があり、表面材１より露出している。
【００１５】
また、操作ケース９の本体操作部１１は三角形の形状をしており、表面材１に覆われている部分よりも少し高くなっており、表面材１の上面と略同一の高さになるようにすることで、表面材１と本体操作部１１の段差が生じないようにしている。
【００１６】
以上のように構成された面状採暖具について、以下にその作用を説明する。
まず、制御ケース９が表面材１の裏面側に取り付けられているので本体ユニット７との係合部で段差が生じないため、踏みつけ時に感じる不快感を軽減することができる。また、制御ケース９が本体ユニット７から飛び出していないので使用時、非使用時にかかわらず制御ケースが邪魔にならず設置空間を有効に活用できる。さらに主要操作はリモコン送信機１２で行うため、制御ケース９の表面材１から露出する部分をリモコン送信機１２から送信される信号を受信する信号受信部１０と主電源スイッチのみにすることができるので本体操作部１１を小さくすることができ見映えが良くなる。また、露出している制御ケース９の本体操作部１１は表面材１に覆われている部分よりも少し高くして表面材１と同等の高さにしておりフラット化でき掃除も効率良く行える。
【００１７】
さらに、本実施例においては、操作を赤外線式のリモコンを用いて説明したが、電波式のリモコンを用いれば制御ケース全体を表面材で覆うことが可能となり、より見栄えの良い面状採暖具を提供することができる。
【００１８】
【発明の効果】
以上のように、請求項１〜５に記載の発明によれば、制御ケースと、発熱体ユニットを表面材で覆う構成としたので、制御ケースと本体ユニット間の段差を解消することができ使用時に踏んでも不快感を感じることなく、掃除もやりやすい。また、制御ケースの露出部分はわずかであるので本体使用の有無に関係なく見映えがよい。また、制御ケースが本体から突出していないので設営空間を有効に利用できる。
【図面の簡単な説明】
【図１】本発明の実施例１における面状採暖具の部分断面斜視図
【図２】本発明の実施例１における面状採暖具の平面図
【図３】本発明の実施例１における面状採暖具の部分断面図
【図４】従来の面状採暖具の部分断面斜視図
【図５】従来の本体ユニットと制御ケースが着脱可能な面状採暖具の部分断面斜視図
【符号の説明】
１　表面材
２　軟質樹脂材
３　発熱体
５　発熱体ユニット
８　制御回路
９　制御ケース
１０　信号受信部
１２　リモコン送信機
【図１】
2004028392.tif 000003
【図２】
2004028392.tif 000004
【図３】
2004028392.tif 000005
【図４】
2004028392.tif 000006
【図５】
2004028392.tif 000007